(57)【要約】【課題】  流体（空気、蒸気、水、その他の処理気体や処理液体）中を走行するシート（布、紙、プラスチックフィルム等）の拡幅装置として、シートを損傷させることなく一様に拡幅可能なものを提供する。【解決手段】  表面部に軸方向にのびる流体案内溝１２を軸周りに等間隔をおいて複数条形成するとともに各流体案内溝１２に開口する複数の流体吐出孔１３を軸方向の両半に実質上等間隔をおいて対称に形成した拡幅ドラム１１と、拡幅ドラム１１内にシート２０が走行する流体と同一でかつ加圧した流体を供給する流体送出し孔１６付きの流体送出し管１５を含む流体供給管系からなる。【選択図】      図２
2006160400.tif 000002
【特許請求の範囲】
【請求項１】
表面部に軸方向にのびる流体案内溝を軸周りに間隔をおいて複数条形成するとともに各流体案内溝に開口する複数の流体吐出孔を軸方向の両半に間隔をおいて対称に形成した拡幅ドラムと、拡幅ドラム内にシートが走行する流体と同一でかつ加圧した流体を、拡幅ドラムの流体吐出孔からの吐出後にシートとの間に流体層を形成可能に供給する流体供給管系とからなる、シートの拡幅装置。
【請求項２】
拡幅ドラムの隣接する流体案内溝における流体吐出孔は、軸方向における位置をずらしてなる、請求項１記載のシートの拡幅装置。
【発明の詳細な説明】
【技術分野】
【０００１】
この発明は、流体、すなわち気体（空気、蒸気などの処理気体）又は液体（水などのシート処理液）中を走行する布、紙、プラスチックフィルム等のシート（ウエブ）を、皺のばし乃至は弛みの解消のために、幅方向に一様に拡げるための装置に関する。
【背景技術】
【０００２】
シートの拡幅装置としては、湾曲軸に複数のロールを回転可能に装着したいわゆる湾曲型のエキスパンダローラが慣用されている（例えば、特許文献１〜５参照）。
【０００３】
この慣用の湾曲型のエキスパンダローラは、ロールとの摩擦によって、シートに左右の両側端方向への拡張力、すなわち拡幅力を付与するものであるが、このシートに対する拡幅力の付与は、摩擦による点から、摩擦係数の大きいシートの場合には、シートに擦り傷が生じ易いほか、シートに付与する拡幅力が、シートの中央部から両端部に向かって増大するため、延伸性のシートの場合には、幅方向における延伸量、従って厚さに差が生じるなどの問題がある。
【特許文献１】特開２００３−３４１８９２号公報
【特許文献２】特開２００２−６０１０１号公報
【特許文献３】実開平６−２５２５３号公報
【特許文献４】実開平６−２０４９６号公報
【特許文献５】特開平６−１８２０４号公報
【発明の開示】
【発明が解決しようとする課題】
【０００４】
この発明は、摩擦係数の大きいシートや延伸性のシートも含めて、損傷させることなく一様に拡幅可能な拡幅装置を提供することを主要な課題としている。
【課題を解決するための手段】
【０００５】
この発明に係るシートの拡幅装置は、特許請求の範囲の請求項１に記載のように、基本的には、表面部に軸方向にのびる流体案内溝を軸周りに間隔をおいて複数条形成するとともに各流体案内溝に開口する複数の流体吐出孔を軸方向の両半に間隔をおいて対称に形成した拡幅ドラム（シリンダ）と、拡幅ドラム内にシートが走行する流体と同一でかつ加圧した流体を、拡幅ドラムの流体吐出孔からの吐出後にシートとの間に流体層を形成可能に供給する流体供給管系とからなる。
【０００６】
この発明のシートの拡幅装置においては、拡幅ドラムの各流体案内溝の各流体吐出孔から連続的に吐出する所定量の加圧流体が、拡幅ドラムに対して直交する方向に走行するシートの遮蔽と拡幅ドラムの流体案内溝の案内作用によって、拡幅ドラムとシートの間に流体層を形成するとともに拡幅ドラムの軸方向の各端、すなわちシートの左右の各側端に向かって実質上均等に流れる。この結果シートは、この左右における流体の実質上均等な流れによる均等な拡幅力を受けて、左右において均等に拡幅される。
【０００７】
この発明に係るシートの拡幅装置は、特許請求の範囲の請求項２に記載のように、拡幅ドラムの隣接する流体案内溝における流体吐出孔は、軸方向における位置をずらすことが好ましい。この場合の位置のずらし量は一般には半ピッチとすることができる。
【発明の効果】
【０００８】
特許請求の範囲の請求項１に記載の基本構成からなるこの発明のシートの拡幅装置によれば、シートを、拡幅ドラムとの間を軸方向の各端に向かって実質上均等に流れる流体層により、拡幅ドラムから浮かした（隔てた）状態で、この流体の均等な流れによって拡幅するので、シートを損傷させることなく、また蛇行させることもなく、実質上一様に拡幅することができる。
【０００９】
また特許請求の範囲の請求項２に記載の隣接する流体案内溝における流体吐出孔の半ピッチのような軸方向の位置ずらし構成によれば、吐出する加圧流体が当たるシート部が均衡化するので、流体層が均一になり、シートの一様の拡幅が確保される。
【発明を実施するための最良の形態】
【００１０】
図面は、この発明に係るシートの拡幅装置の好適な実施形態を示したものである。左右に水平にのびる拡幅ドラム１１は、表面部に、軸周りに等間隔をおいて形成した複数の流体案内溝１２を有しており、各流体案内溝１２には、軸方向の中心に対して左右対称な位置に、複数の外開き状（漏斗状）の流体吐出孔１３が実質上等間隔をおいて開口している。この流体吐出孔１３は、隣接する流体案内溝１２において半ピッチずつずれた位置に開口しており、全体として千鳥状の配置になっている。
【００１１】
拡幅ドラム１１の内部には、流体供給管系の先端部を構成する複数の流体送出し孔１６付きの流体送出し管１５が同心的に配置してある。この流体送出し管１５には、下半部に、軸周り及び軸方向に間隔をおいて多数の流体送出し孔１６が形成してあるとともに、前後の各側部には、軸方向の全長に渡ってのびる上半部への流体の流入抑制用の前後一対の流体流入抑制（遮蔽）フランジ１７が付設してある。また流体送出し管１５の左右の各端部は、拡幅ドラム１１の左右の各端部（端壁１４部）を軸受１９を介して回転自在に支持するドラム支持軸兼用の中空の管コネクタ１８を介して、加圧流体の供給源に向かってのびる流体供給管系の中間部に連結されている。
【００１２】
図示の実施形態においては、シート２０を、図２に仮想線で示すごとく、拡幅ドラム１１の下半の約半周部に沿って走行させながら、流体送出し管１５にその左右の管コネクタ１８を通して送られる流体源からの所定量の加圧流体を、下半部の流体送出し孔１６を通して拡幅ドラム１１内の下半部に送り込むとともに下半部の流体吐出孔１３を通して拡幅ドラム１１外に吐出させる。これにより図３に示すように、拡幅ドラム１１とシート２０との間には流体層が形成されるとともに、この流体層の流体は、拡幅ドラム１１の流体案内溝１２に案内されて、軸方向の両端、すなわちシート２０の幅方向の両側端に向かって流れ、走行するシート２０部を連続的に拡幅する。
【００１３】
この発明に係るシートの拡幅装置は、このほか、例えば拡幅ドラムの端壁に同心的に従動歯車を取り付けるとともにこの従動歯車に駆動歯車を係合することなどによって、拡幅ドラムを回転駆動可能にする（これにより図示の回転自在構成の場合よりも、拡幅装置の作動前や作動直後等におけるシートの拡幅ドラムを通した案内を、シートに摩擦抵抗を付与することなく、より円滑に行うことができる）など、種々の形態で実施することができるもので、上記の形態に限定されるものではない。
【図面の簡単な説明】
【００１４】
【図１】この発明に係るシートの拡幅装置の好適な実施形態の一部を切り欠いた略正面図である。
【図２】図１に示す実施形態の要部の一部を切り欠いた略側面図である。
【図３】図１に示す実施形態における拡幅ドラムからの吐出流体によるシートの拡幅作用を説明するための拡幅ドラムの軸方向中央部の一部の拡大正断面図である。
【符号の説明】
【００１５】
１１  拡幅ドラム
１２  流体案内溝
１３  流体吐出孔
１４  端壁
１５  流体送出し管
１６  流体送出し孔
１７  流体遮蔽フランジ
１８  管コネクタ
１９  軸受
２０  シート
【図１】
2006160400.tif 000003
【図２】
2006160400.tif 000004
【図３】
2006160400.tif 000005